(57)【要約】【課題】  中高音を減衰させて低音域の音質を改善させる所要長さの音道を簡単な構造で、かつ、容易に組み立て可能なスピーカー装置を提供すること。【解決手段】  スピーカーボックス１の内壁１１ｂに複数個の第１板状部材１１４を突設し、その第１板状部材１１４と交互段違いとなるように壁部３ａから複数個の第２板状部材３１が突設したインナー部材３を、第１板状部材１１４を被装するように配設して、開口部１２ａを介して、スピーカー２の背面部空間ａ１と外部空間ａ４とを連通するジグザグ状の音道Ａを形成する【選択図】        図２
2006295448.tif 000002
【特許請求の範囲】
【請求項１】
スピーカーボックス内にインナー部材が配設されてなり、前記スピーカーボックスの内壁と前記インナー部材とで、スピーカーの背面部空間と外部空間とを連通させる音道が形成されていることを特徴とするスピーカー装置。
【請求項２】
スピーカーボックスの内壁に所要の間隔をおいて複数個の第１板状部材が突設され、
前記インナー部材は、該第１板状部材を被装するように配設されると共に、当該インナー部材を構成する壁部と、所要の間隔をおいて該第１板状部材と交互段違いとなるように該壁部から突設された複数個の第２板状部材とを備え、
前記第１板状部材と、該第１板状部材が突設された前記スピーカーボックスの内壁と、前記インナー部材とで、スピーカーの背面部空間と外部空間とを連通させるジグザグ状の音道を形成したことを特徴とする請求項1記載のスピーカー装置。
【請求項３】
外部と連通する開口部を、前記スピーカーの配設側に設けたことを特徴とする請求項１または２記載のスピーカー装置。
【請求項４】
前記第１板状部材は、前記スピーカーの配設面と対向する前記スピーカーボックスの内壁に設けられ、
前記第２板状部材が突設された壁部の突設面と反対の面と、前記スピーカーボックスの内壁とで、前記スピーカーの背面部空間が形成されていることを特徴とする請求項２または３記載のスピーカー装置。
【請求項５】
前記スピーカーボックスは、前記第１板状部材を一体成形させたバックキャビネットと、前記スピーカーを配設させたフロントパネルとからなり、
前記インナー部材は、前記壁部と前記第２板状部材とが一体成形されると共に前記バックキャビネット内に挿嵌されることを特徴とする請求項２〜４の何れか１項記載のスピーカー装置。
【請求項６】
スピーカーボックス内にインナー部材を配設して、前記スピーカーボックスの内壁と前記インナー部材とで、スピーカーの背面部空間と外部空間とを連通させる音道を形成することを特徴とする音道形成方法。
【発明の詳細な説明】
【技術分野】
【０００１】
本発明は、スピーカー装置に関し、更に詳しくは、低音域の量感を増すための音道を形成させるたスピーカー装置の内部構造、及び、音道形成方法に関する。
【背景技術】
【０００２】
スピーカー装置は、低音域の量感を増すために、例えば、スピーカーボックスに、内部と連通するパイプを設けて、スピーカー背面からの音を外へ出すようにした所謂バスレフ型スピーカーがある（例えば特許文献１参照）。
【０００３】
また、スピーカーボックス内に外部と連通する長い音道を形成させて、スピーカー背面からの音のうち、中高音を減衰させて低音域の音質を改善したスピーカーシステムがある（例えば特許文献２参照）
【０００４】
このようにスピーカー装置における低音域の量感を増す手段として、スピーカーボックス内と外部とを連通させる手段が広く知られている
【０００５】
【特許文献１】特開平４−２８０６００号公報（第２頁、図１）
【特許文献２】特開平１１−２５２６７２号公報（第２頁、図２）
【発明の開示】
【発明が解決しようとする課題】
【０００６】
後者に例示したように、中高音を減衰させて低音域の音質を改善させるためにスピーカーボックス内に外部と連通する長い音道を形成することが好ましいが、しかしながら、部品点数の増加と、それに伴う製造工程数、及び、組立行程数の増加は免れない。
【０００７】
一方、前者に例示したようなパイプを設ける手段では、スピーカーボックス内という限られたスペースでは、スピーカー背面からの音のうち、中高音を減衰させるのに所要な音道の長さを確保するのは困難であった。
【０００８】
そこで本発明は、このような状況に鑑みてなされたものであり、上記問題点を解決できるスピーカー装置及び音道形成方法を提供することを目的とする。
【課題を解決するための手段】
【０００９】
上記技術課題を達成するために、本発明にかかるスピーカー装置は、下記の技術的手段を講じた。
すなわち、請求項１にかかるスピーカー装置は、スピーカーボックス内にインナー部材が配設されてなり、前記スピーカーボックスの内壁と前記インナー部材とで、スピーカーの背面部空間と外部空間とを連通させる音道が形成されていることを特徴とする。
請求項２にかかるスピーカー装置は、請求項1において、スピーカーボックスの内壁に所要の間隔をおいて複数個の第１板状部材が突設され、前記インナー部材は、該第１板状部材を被装するように配設されると共に、当該インナー部材を構成する壁部と、所要の間隔をおいて該第１板状部材と交互段違いとなるように該壁部から突設された複数個の第２板状部材とを備え、前記第１板状部材と、該第１板状部材が突設された前記スピーカーボックスの内壁と、前記インナー部材とで、スピーカーの背面部空間と外部空間とを連通させるジグザグ状の音道を形成したことを特徴とする。
請求項３にかかるスピーカー装置は、請求項1または２において、外部と連通する開口部を、前記スピーカーの配設側に設けたことを特徴とする。
請求項４にかかるスピーカー装置は、請求項２または３において、前記第１板状部材は、前記スピーカーの配設面と対向する前記スピーカーボックスの内壁に設けられ、前記第２板状部材が突設された壁部の突設面と反対の面と、前記スピーカーボックスの内壁とで、前記スピーカーの背面部空間が形成されていることを特徴とする。
請求項５にかかるスピーカー装置は、請求項２〜４の何れかにおいて、前記スピーカーボックスは、前記第１板状部材を一体成形させたバックキャビネットと、前記スピーカーを配設させたフロントパネルとからなり、前記インナー部材は、前記壁部と前記第２板状部材とが一体成形されると共に前記バックキャビネット内に挿嵌されることを特徴とする。
請求項６にかかる音道形成方法は、スピーカーボックス内にインナー部材を配設して、前記スピーカーボックスの内壁と前記インナー部材とで、スピーカーの背面部空間と外部空間とを連通させる音道を形成することを特徴とする。
【発明の効果】
【００１０】
本発明によれば、スピーカーボックスの内壁に複数個の第１板状部材を突設し、その第１板状部材と交互段違いとなるように壁部から複数個の第２板状部材が突設したインナー部材を、第１板状部材を被装するように配設して、第１板状部材と、その第１板状部材が突設されたスピーカーボックスの内壁と、インナー部材とで、スピーカーの背面部空間と外部空間とを連通するジグザグ状の音道を形成したから、スピーカー背面からの音のうち、中高音を減衰させて低音域の音質を改善させる所要長さの音道を簡単な構造で形成することができる。
【００１１】
しかも、第１板状部材をバックキャビネットに一体成形し、加えて、第２板状部材と壁部とを一体成形したインナー部材を用いることで、部品点数を増加させずに極めて簡単に組み立てできる。
【発明を実施するための最良の形態】
【００１２】
次に、本発明にかかるスピーカー装置の実施の形態を説明する。図中、符号１はスピーカーボックスを、符号３はインナー部材を夫々示す。
本実施の形態にかかるスピーカー装置は、スピーカーボックス１と、スピーカー２と、インナー部材３とを備えてなる。
【００１３】
スピーカーボックス１は、バックキャビネット１１と、フロントパネル１２とからなる。
バックキャビネット１１は、一側面が開口された箱状に形成されると共に、開口側の略四隅部に、ネジ孔１１１が設けられたボス１１２、１１３（上部側のボス１１２、下部側のボス１１３）が一体成形されている。このうち、下部側のボス１１３は先部が縮径した段付軸状に形成されており、後述するインナー部材３の取付孔３ｃに、この縮径した縮径部１１ａが挿嵌されるようになっている。
【００１４】
さらに、バックキャビネット１１の開口側と反対側の内壁１１ｂには、図２及び図３に示すように、その内壁１１ｂ上下方向に所要の間隔をおいて、略水平方向に延びた複数個の第１板状部材１１４が、バックキャビネット１１と一体成形されている。この第１板状部材１１４は、図４に示すように、内壁１１ｂと隣接する左右の内壁１１ｃにも一体成形によって接続されている。
【００１５】
また、左右の内壁１１ｃには、略水平方向に延びた凹字状のガイド部材１１５が、第１板状部材１１４同士間中央、及び、最上段の第１板状部材１１４上方の位置に、第１板状部材１１４と並設されるように突設されている。このガイド部材１１５は、内壁１１ｂと隣接する左右の内壁１１ｃに一体成形されている。
【００１６】
フロントパネル１２は、図１及び図２に示すように、中央部が内側に向かってすり鉢状に延設され、そのすり鉢状の底部が開口されてスピーカー２が内側から止着されていると共に、そのスピーカー２より下方に正面視略長方形状の開口部１２ａが形成された帯板状に形成されている。
【００１７】
このフロントパネル１２の周縁部と、バックキャビネット１１の開口側の周縁部とが、嵌合可能に互いが形設されており、フロントパネル１２とバックキャビネット１１の開口側が嵌合されると同時に、バックキャビネット１１のボス１１２、１１３がフロントパネル１２裏面と当接され、フロントパネル１２の表面側から、ボス１１２、１１３に設けられたネジ孔１１１にビス４が螺着されることで、フロントパネル１２がバックキャビネット１１に止着されている。
【００１８】
インナー部材３は、図２〜図４に示すように、フロントパネル１２側と上部とが開放された略箱状に形成されると共に、フロントパネル１２側と反対方向の壁部３ａ裏面に、バックキャビネット１１に設けたガイド部材１１５のピッチと同じピッチでもって、複数個の第２板状部材３１が略水平方向に突設されている。さらに、取付孔３ｃを設けた突片３ｂが、バックキャビネット１１に設けた下部側のボス１１３の縮径部１１ａと係合するように、フロントパネル１２側の底部両側に垂設されている。
なお、この複数個の第２板状部材３１は、壁部３ａと一体成形されている。
【００１９】
また、このインナー部材３は、インナー部材３の左右の外壁３ｄが、バックキャビネット１１の左右の内壁１１ｃと密着するような所要の幅寸法からなり、バックキャビネット１１に設けたガイド部材１１５と、第２板状部材３１の両端部が嵌合されると共に、バックキャビネット１１に設けた下部側の縮径した縮径部１１ａが、突片３ｂに設けた取付孔３ｃに挿嵌されて、第１板状部材１１４と第２板状部材３１とが上下左右方向に所要の間隔をおいて交互段違いとなるように、かつ、第１板状部材１１４を被装するように配設されている。
【００２０】
次に、以上のように構成されたスピーカー装置の組立手順を説明する。
まず、バックキャビネット１１に設けたガイド部材１１５と第２板状部材３１の両端部とが嵌合するように、かつ、突片３ｂに設けた取付孔３ｃにバックキャビネット１１に設けた下部側のボス１１３の縮径部１１ａが挿嵌するように、バックキャビネット１１内にインナー部材３を押し込む。
【００２１】
正常な位置関係でもってバックキャビネット１１内にインナー部材３が挿嵌したら、スピーカー２が止着したフロントパネル１２を、バックキャビネット１１の開口側に嵌合し、フロントパネル１２の表面側から、ボス１１２、１１３に設けたネジ孔１１１にビス４を螺着することで、一連の組立が完了する。
【００２２】
このようにして組み立てられたスピーカー装置は、図２に示すように、スピーカー２とインナー部材３の壁部３ａとの間に第１の空間ａ１（スピーカー２の背面部空間）を形成し、第１板状部材１１４と第２板状部材３１との間に第２の空間ａ２を形成し、インナー部材３の底部とバックキャビネット１１の底部との間に第３の空間ａ３を形成し、さらに、フロントパネル１２に設けた開口部１２ａが第３の空間に連通して、スピーカー２の背面部空間ａ１と外部空間ａ４とを連通するジグザグ状の音道Ａが形成する。
【００２３】
このように本実施の形態にかかるスピーカー装置は、中高音を減衰させて低音域の音質を改善させる所要長さのジグザグ状の音道Ａを、従来のパイプに代えて、インナー部材３を用いることで、部品点数を増加させずに簡単に形成することができ、しかも、簡単に組み立てることができる。
【００２４】
また、スピーカーボックス内にインナー部材を配設して、前記スピーカーボックスの内壁と前記インナー部材とで、スピーカーの背面部空間と外部空間とを連通させる音道を形成する音道形成方法でも良いものである。
【００２５】
以上、本実施の形態にかかるスピーカー装置を説明したが、上述した実施の形態は、本発明の好適な実施の形態の一例を示すものであり、本発明はそれに限定されるものではなく、その要旨を逸脱しない範囲内において、種々変形実施が可能である。
【図面の簡単な説明】
【００２６】
【図１】本実施の形態にかかるスピーカー装置の正面図である。
【図２】図１におけるＹ−Ｙ線に沿える縦断側面図である。
【図３】背面図である。
【図４】分解斜視図である。
【符号の説明】
【００２７】
１  スピーカーボックス
１１  バックキャビネット
１１１  ネジ孔
１１２、１１３  ボス
１１ａ  縮径部
１１ｂ  内壁
１１ｃ  左右の内壁
１１４  第１板状部材
１１５  ガイド部材
１２  フロントパネル
１２ａ  開口部
２  スピーカー
３  インナー部材
３１  第２板状部材
３ａ  壁部
３ｂ  突片
３ｃ  取付孔
３ｄ  左右の外壁
４  ビス
Ａ  音道
ａ１  第１の空間
ａ２  第２の空間
ａ３  第３の空間
ａ４外部空間 
【図１】
2006295448.tif 000003
【図２】
2006295448.tif 000004
【図３】
2006295448.tif 000005
【図４】
2006295448.tif 000006